(57)【要約】  本発明は、流体を制御するための弁に関する。この弁は、貫通開口（４）を備える弁体（２）と、弁体（２）に形成されたテーパしている弁座（５）と、弁座（５）で貫通開口（４）を開閉する閉鎖部材（３）と、弁座（５）に接続する突出部（６）であって、弁座（５）の周の一部にわたってのみ延在している突出部（６）とを備える。【選択図】図１
2013543088.tif 000002
【特許請求の範囲】
【請求項１】
流体を制御するための弁において、
貫通開口（４）を備える弁体（２）と、
該弁体（２）に形成されたテーパしている弁座（５）と、
該弁座（５）で前記貫通開口（４）を開放および閉鎖する閉鎖部材（３）と、
前記弁座（５）に接続する突出部（６）であって、前記弁座（５）の周の一部にわたってのみ延在している突出部（６）と
を備える、流体を制御するための弁。
【請求項２】
請求項１に記載の弁において、
前記突出部（６）が、前記弁座（５）と一体的に形成されている弁。
【請求項３】
請求項１または２に記載の弁において、
前記突出部（６）が、前記閉鎖部材（３）のストローク方向（Ｂ）に突出した多数の構成要素（７）によって冠状に形成されており、該突出した構成要素（７）が、中間スペース（８）によって互いに分離されている弁。
【請求項４】
請求項３に記載の弁において、
前記突出した構成要素（７）の間の前記中間スペース（８）が、周方向に、前記突出した構成要素（７）と等しいアーチ長さを備える弁。
【請求項５】
請求項１から４までのいずれか一項に記載の弁において、
前記突出部（６）が、周方向長さ全体の１／２未満および周方向長さの１／３を超えて形成されている弁。
【請求項６】
請求項１から５までのいずれか一項に記載の弁において、
前記突出部（６）が、前記閉鎖部材（３）のストローク方向（Ｂ）に、前記閉鎖部材（３）のストローク（Ｈ）よりも大きい長さ（Ｌ）を備える弁。
【請求項７】
請求項１から６までのいずれか一項に記載の弁において、
前記弁座（５）が、円錐状に形成されている弁。
【請求項８】
請求項１から７までのいずれか一項に記載の弁において、
前記弁座（５）が、完全に周方向に延在する縁部（９）に移行し、前記突出部（６）が前記縁部（９）に形成されている弁。
【請求項９】
請求項１から８までのいずれか一項に記載の弁において、
前記弁が逆止弁として形成されている弁。
【請求項１０】
車両用ブレーキ装置において、
請求項１から９までのいずれか一項に記載の弁を含むブレーキ装置。
【発明の詳細な説明】
【技術分野】
【０００１】
本発明は、流体を制御するための弁、および、特に車両のブレーキシステムのための逆止弁に関する。
【背景技術】
【０００２】
流体を制御するための弁は、従来技術により種々異なった構成で既知である。このような弁の使用分野は、例えば、液圧液を制御するためのブレーキシステムである。特に重量および構成スペースを減じるために、最近ではこのようなシステムおよびあらゆる構成部材をも小型化する動きがある。しかしながら、ブレーキ流体装置で使用する場合、所定の最低貫流量が確保される必要がある。さらに弁を通る流体の抵抗が大きすぎてはならない。しかしながら、寸法が低減された場合、場合によっては弁のストローク高さを増大する必要がある。しかしながら、これにより、弁の閉鎖部材が紛失されやすくなる。したがって、閉鎖部材の紛失を防止することのできる安価で小型の弁が得られることが望ましい。
【発明の概要】
【０００３】
これに対して、本発明によれば、請求項１の特徴を備える流体を制御するための弁は、弁部材の紛失の危険性が著しく低減されているという利点を有する。それにも関わらず、本発明による弁は極めて安価に作製可能であり、極めて小さい寸法しか有していない。これは、発明によれば、本弁が、弁座に接続する突出部を備えていることにより達成される。突出部は、弁座の周の一部にのみ延在している。突出部は、閉鎖部材が弁座から遠く引き離され、紛失されることを防止し、しかも、突出部は弁座の全周には提供されていないので、開放された弁を通る高い貫流量を確保することができる。したがって、突出部は、弁の開放時に、弁を通る流体の流れによって閉鎖部材が横方向に押し離され、極端な場合には紛失されてしまうことを、流体抵抗を高めることなしに防止する。
【０００４】
従属請求項は本発明の好ましい実施形態を示す。
【０００５】
好ましくは、突出部は弁座と一体的に形成されている。これにより、特に簡単で安価な製造可能性を達成することができる。
【０００６】
特に好ましくは、突出部は、閉鎖部材のストローク方向に突出する多数の構成要素によって冠状に形成されており、これらの構成要素は中間スペースによって互いに分離されている。突出した構成要素は、閉鎖部材が紛失され得ることを防止し、弁の開放時に流体は突出した構成要素の間を貫流できる。
【０００７】
さらに好ましくは、冠状部の突出した構成要素間の中間スペースは、周方向に、中間スペースの周方向のアーチ長さが突出した構成要素の周方向のアーチ長さと等しくなるように形成されている。
【０００８】
特に好ましくは、突出部は、周方向長さ全体の１／２未満および弁座の周方向長さの１／３を超えて設けられている。
【０００９】
本発明の好ましい別の構成によれば、突出部は、閉鎖部材のストローク方向に、閉鎖部材のストロークよりも大きい長さを備える。これにより、特に弁における閉鎖部材の確実な保持を達成することができる。
【００１０】
弁座は、好ましくは円錐状に形成されている。
【００１１】
さらに好ましくは、弁座は完全に周方向に延在する縁部に移行し、突出部はこの縁部に形成されている。
【００１２】
本発明の別の好ましい構成によれば、閉鎖部材は弁座でシールするためのシール円錐体を備え、これにより大きいシール面を提供する。
【００１３】
特に好ましくは、本発明による弁は逆止弁として形成されており、さらに閉鎖部材のストロークを制限するためのストッパを含む。
【００１４】
さらに本発明は、本発明による弁、特に本発明による逆止弁を備えるブレーキ装置に関する。
【００１５】
次に、添付の図面を参照して本発明の好ましい実施例を詳細に説明する。
【図面の簡単な説明】
【００１６】
【図１】本発明による弁のための弁体の第１実施例を示す斜視図である。
【図２】図１の弁体の概略断面図である。
【図３】図１の弁の概略断面図である。
【図４】本発明による弁のための弁体の第２実施例を示す斜視図である。
【発明を実施するための形態】
【００１７】
次に図１、図２および図３を参照して、本発明の第１の好ましい実施例による流体を制御するための弁１を説明する。第１実施例の弁１は、ブレーキ回路で使用される逆止弁である。
【００１８】
図３から分かるように、弁１は、貫通開口４を備える弁体２を含む。さらに弁体２には、円錐状にテーパする弁座５が形成されている。閉鎖部材３は貫通開口４を開放し、弁座５でシールする形式で貫通開口を閉鎖する。この場合、閉鎖部材３はシール円錐体３ａとして形成されている。閉鎖部材３は、差圧の印加により閉じられる。閉鎖部材３の運動は、図３に二重矢印Ｂによって示唆されている。閉鎖部材３の運動方向は、この場合、弁の中心軸線Ｘ−Ｘの方向である。
【００１９】
図３の矢印Ａは、逆止弁を通る流れ方向を示す。さらに、特に図１および図２に示すように、流れ方向に弁座５の端部に突出部６が形成されている。この突出部６は冠状に形成されている。冠状の突出部６は複数の突出した構成要素７を含み、これらの突出した構成要素７は、周方向にそれぞれ１つの中間スペース８をおいて相互に離間されている。突出した構成要素７は、この場合、軸線方向に突出しており、アーチ状に形成されている。冠状の突出部６は、図１からわかるように、弁座５の外周の半分にのみ形成されている。
【００２０】
さらに図１に示すように、弁座５には、まず完全に周方向に延在する縁部９が形成されており、縁部９は、しかしながら、軸線方向に低い高さしか備えていない。さらにこの縁部９には、冠状の突出部６の突出した構成要素７が配置されている。この実施例では、弁体２は縁部９および突出部６と共に、例えば射出成形によって作製可能な一体的な構成部品として設けられている。
【００２１】
図１に示すように、突出した構成要素７の周方向のアーチ長さは、中間スペース８のアーチ長さに等しい。これにより、突出した構成要素７が、開放された弁を通過する流体の流れを制限することができる程、過度に大きい面積を占めないことが確保される。しかしながら、突出した構成要素７は、軸線方向Ｘ−Ｘに閉鎖部材３のストロークＨよりも大きい長さＬを備える。これにより、突出した構成要素７は、弁の開放時に閉鎖部材３が弁座５から横方向に押し出され、紛失されることを防止する。この場合、突出した構成要素７は、貫流量が過度に減じられることなしに、また開放された弁で不都合に大きい流体抵抗が生じることなしに、保持機能を果たす。
【００２２】
次に、図４を参照して、本発明の第２実施例による弁体２を説明する。この場合、同じ、または機能的に同じ部材には第１実施例と同じ符号を付す。
【００２３】
第１実施例とは異なり、第２実施例の弁体２は、途切れていない連続した突出部６を備える。このように突出部６は、第２実施例では弁座５の周の一部のみにわたって設けられている。この実施例では、突出部６の周方向長さは弁座５の全周の１／３〜１／２である。周の一部のみにわたって突出部６が設けられていることにより、閉鎖部材の紛失が防止されることの他に、流体の流れ方向に意図的に影響を及ぼすことができる。閉鎖部材の直径は突出部６の最小直径よりも小さいので、突出部６の近傍で流れが妨げられることが防止される。
【００２４】
したがって、上記実施例に示した本発明による弁１は、突出部６が設けられていることにより、流れ方向に見た弁座５の端部の構成が既知のタイプの弁とは異なっている。本発明は、好ましくはブレーキシステムにおける逆止弁との関連で用いられる。
【図１】
2013543088.tif 000003
【図２】
2013543088.tif 000004
【図３】
2013543088.tif 000005
【図４】
2013543088.tif 000006
【国際調査報告】
2013543088.tif 000007
2013543088.tif 000008
2013543088.tif 000009
2013543088.tif 000010